(57)【要約】【課題】簡易な構成によって機器メンテナンスの際の取扱いが容易な洗米装置を提供する。【解決手段】洗米装置は、上部開口(２ａ)と下端の排出部(２ｂ)とを形成した洗米槽(２)に撹拌体(３)を内設して構成され、前記洗米槽(２)の上部開口(２ａ)には蓋体(４)を設け、この蓋体(４)に米投入口(４ａ)と水供給口(４ｂ)とを形成することにより、米と水を洗米槽(２)内に供給して撹拌体(３)によって洗米処理が可能となり、また、蓋体(４)を開くことで、上部開口(２ａ)から洗米槽(２)内部のメンテナンスを可能とするものである。【選択図】図２
2018043168.tif 000002
【特許請求の範囲】
【請求項１】
上部開口(２ａ)と下端の排出部(２ｂ)とを形成した洗米槽(２)に撹拌体(３)を内設した洗米装置において、
前記上部開口(２ａ)を閉鎖可能な蓋体(４)を設け、この蓋体(４)に米投入口(４ａ)と水供給口(４ｂ)とを形成したことを特徴とする洗米装置。
【請求項２】
前記水供給口(４ｂ)に水供給パイプ(Ｐ１)を着脱自在に接続する接続具(４ｃ)を設けるとともに、前記蓋体(４)に機器収容室(４ｄ)を設け、この機器収容室(４ｄ)に給水制御弁(４ｅ)と給水量センサ(４ｆ)を収容したことを特徴とする請求項１記載の洗米装置。
【請求項３】
前記蓋体(４)は、前記撹拌体(３)を支持して一体で開閉可能に構成したことを特徴とする請求項１または２記載の洗米装置。
【請求項４】
前記機器収容室(４ｄ)には、前部に操作盤(４ｇ)を設け、その後方に前記給水制御弁(４ｅ)と前記給水量センサ(４ｆ)を配置したことを特徴とする請求項２または３記載の洗米装置。
【発明の詳細な説明】
【技術分野】
【０００１】
本発明は、撹拌体を備えた洗米槽で洗米して自動炊飯器に米を供給する洗米装置に関する。
【背景技術】
【０００２】
特許文献１に記載のように、自動炊飯器の上蓋に自動給米装置を嵌込み、洗米タンク底部に設けた米排出口の直下に配置した小型の洗米炊飯機が知られている。
この洗米炊飯機は、洗米タンクで洗米し、自動給米装置で自動炊飯器に米を供給することにより、完全自動炊飯を可能とする。
【先行技術文献】
【特許文献】
【０００３】
【特許文献１】特開平１０−１２７４８３号公報
【発明の概要】
【発明が解決しようとする課題】
【０００４】
しかしながら、上記洗米炊飯機は、給排水接続部を含め、設置およびメンテナンスにおいて装置全体の分解と組付の煩雑な取扱いが避けられないという問題があった。
【０００５】
本発明の目的は、簡易な取扱いによって設置およびメンテナンスが可能となる洗米装置を提供することにある。
【課題を解決するための手段】
【０００６】
請求項１に係る発明は、上部開口(２ａ)と下端の排出部(２ｂ)とを形成した洗米槽(２)に撹拌体(３)を内設した洗米装置において、前記上部開口(２ａ)を閉鎖可能な蓋体(４)を設け、この蓋体(４)に米投入口(４ａ)と水供給口(４ｂ)とを形成したことを特徴とする。
【０００７】
請求項２に係る発明は、請求項１に係る発明において、前記水供給口(４ｂ)に水供給パイプ(Ｐ１)を着脱自在に接続する接続具(４ｃ)を設けるとともに、前記蓋体(４)に機器収容室(４ｄ)を設け、この機器収容室(４ｄ)に給水制御弁(４ｅ)と給水量センサ(４ｆ)を収容したことを特徴とする。
【０００８】
請求項３に係る発明は、請求項１または２に係る発明において、前記蓋体(４)は、前記撹拌体(３)を支持して一体で開閉可能に構成したことを特徴とする。
【０００９】
請求項４に係る発明は、請求項２または３に係る発明において、前記機器収容室(４ｄ)には、前部に操作盤(４ｇ)を設け、その後方に前記給水制御弁(４ｅ)と前記給水量センサ(４ｆ)を配置したことを特徴とする。
【発明の効果】
【００１０】
請求項１に係る発明は、撹拌体(３)を内設した洗米槽(２)の上部開口(２ａ)に開閉可能に蓋体(４)を設け、この蓋体(４)に米投入口(４ａ)と水供給口(４ｂ)を形成した簡易な構成により、蓋体(４)を閉じれば、米と水を洗米槽(２)内に供給して撹拌体(３)によって洗米が可能となり、また、蓋体(４)を開けば、上部開口(２ａ)から洗米槽(２)内部のメンテナンスが可能となる。
【００１１】
請求項２に係る発明は、請求項１に係る発明の効果に加え、接続具(４ｃ)により水供給パイプ(Ｐ１)を水供給口(４ｂ)に自在に着脱できるので、洗米装置の設置の自由度が確保され、また、制御機器を機器収容室(４ｄ)に収容した蓋体(４)の開閉操作により、制御機器の個別の着脱を要することなく、洗米槽(２)のメンテナンスが可能となる。
【００１２】
請求項３に係る発明は、請求項１または２に係る発明の効果に加え、蓋体(４)に撹拌体(３)を支持して一体で開閉できることから、撹拌体(３)を含めてメンテナンスが容易となる。
【００１３】
請求項４に係る発明は、請求項２または３に係る発明の効果に加え、蓋体４に機器収容室４ｄを設けたことから、機器収容室(４ｄ)内に機器類をコンパクトにレイアウトでき、かつ、前側配置の操作盤(４ｇ)で操作性を確保することできる。
【図面の簡単な説明】
【００１４】
【図１】洗米機（洗米時）の斜視図
【図２】洗米機（蓋開放時）の斜視図
【図３】排水部とその分解時の斜視図（ａ，ｂ）
【図４】撹拌体の連結部の斜視図
【図５】蓋周りの構成機器の透視斜視図
【図６】ターンテーブル周りの斜視図
【図７】曳出し時（ａ）と固定時（ｂ）のスライドアンカー構成図
【図８】ポジションマーカとセンサの配置例
【図９】取手付き回転部の斜視図
【図１０】回転部の回動範囲の平面図
【図１１】回動ストッパの拡大図付帯の回転部の平面図
【図１２】米投入口の断面図
【図１３】ワイヤー式投下弁周りの斜視図
【図１４】平行リンク式投下弁周りの斜視図
【発明を実施するための形態】
【００１５】
上記技術思想に基づいて具体的に構成された実施の形態について以下に図面を参照しつつ説明する。
【００１６】
（洗米部）
図１〜５は、洗米機（洗米時）の斜視図、洗米機（蓋開放時）の斜視図、排水部とその分解時の斜視図（ａ，ｂ）、撹拌体の連結部の斜視図、蓋体周りの構成機器の透視斜視図である。
【００１７】
洗米機１は、支持フレームＦによって吊下げ支持した洗米槽２に撹拌体３を内設する。洗米槽２の下端部には、開閉式の投下弁１１を設ける。投下弁１１の下方には、洗米槽２から落下する米を受ける炊飯器Ｂを載置する載置台Ｔを設け、載置台Ｔには炊飯器Ｂの姿勢を回転させるターンテーブル５を備える。洗米槽２の上部に水供給パイプＰ１を接続し、下部から排水ホースＰ２を接続して構成される。載置台Ｔは取手５ａを引くと引き出し可能に構成している。
【００１８】
洗米槽２の頭部は、蓋体４を横軸芯の開閉軸２ｒを軸心に開閉可能に構成し、一本の水供給パイプＰ１からワンタッチで取外しできる接続具４ｃを設け、水供給口４ｂに給水可能に構成する。洗米槽２の下部は円錐筒状のタンク２ｔを設ける。
本機側の接続具４ｃは、本機中央付近の本機上面に設けることで、水道の給水栓が本機の左右どちらの配置でも接続が可能となり、また、本機上面に設けることで、本機を壁に接触して設置することができる。
【００１９】
蓋体４の裏側には、水漏れ防止用のパッキン２ｐを設け、このパッキン２ｐに厚みを持たせてタンク２ｔ側と嵌合可能に防水構成する。蓋側のパッキン２ｐを保護する樹脂製の円形部材２ｑをタンク側に設ける。
【００２０】
支持フレームＦの側面には、排水ホースＰ２の配索穴Ｈを設けることで、洗米機１を壁に接触させて設置することができる。配索穴Ｈは、左右両側面に設けることで、左右のどちらにも排水ホースＰ２の配索が可能となる。
【００２１】
排水ホースＰ２は、洗米槽２の下部の背面側に設けた排水ボックス７から下方に向けて接続することにより、また、排水ボックス７の下方をスリバチ形状とすることにより、排水ホースＰ２の出代を抑えて洗米機１を壁際に接触配置が可能となる。また、排水ボックス７の底面と背面は、フック、パチン錠等の掛止具７ａ…で分解可能に構成することで、メンテナンス性が向上する。
【００２２】
蓋体４は、洗米槽２の頭部の開閉軸２ｒを軸に開閉可能に構成することで、点検窓からの限定的な清掃や、分解清掃によることなく、洗米槽２の内部清掃が容易となる。また、洗米槽２は、蓋体４を着脱式に分離可能に構成することでタンク２ｔ内のメンテナンス性を向上することもできる。
【００２３】
撹拌体３は、蓋体４に着脱可能に支持する。撹拌体３は、洗米軸３ａに洗米棒３ｂ…を備え、洗米軸３ａにプッシュ式の着脱機構３ｃを設けることで、撹拌体３を取り外すことが可能となり、撹拌体３のメンテナンス性を向上することができる。
【００２４】
蓋体４の正面部には、槽側に連結固定可能にプッシュ式の錠４ｈ等を設ける。蓋体４の内部に機器収容室４ｄを形成し、給水制御部、駆動制御部、操作部、電源部等の機器を集中収容することにより、コンパクト性を確保することができる。
【００２５】
（制御機器）
機器収容室４ｄには、水の供給量を検出する給水量センサ４ｆと水の供給をＯＮ・ＯＦＦする給水制御弁４ｅを給水路に設けることにより、簡易な構成で給水量制御が可能となり、また、撹拌体３の洗米軸３ａを駆動する小型モータ４ｐとベルト等の伝動部４ｑを設ける。
詳細は図示しないが、蓋体４の上側には機器収容室４ｄ用の蓋を設けることで、機器収容室４ｄ内のメンテナンス性を確保することができる。
【００２６】
このように、上記構成の蓋体４と一体の撹拌体３及び洗米槽２を備える洗米機１により、省スペースの業務用洗米機を構成することができる。
また、本実施の形態の炊飯器Ｂは、主として家庭用の比較的少量炊飯用の炊飯器Ｂを使用するものであり、炊飯器Ｂの蓋６ａを開いた状態により、炊飯釜６ｂ内に米を供給できる高さ位置に投下弁１１を設けており、洗米機１の全体の高さを低くできる構成である。
【００２７】
（回転台）
次に、支持フレームＦの下部の載置台Ｔは、図６〜１１のターンテーブル周りの斜視図、曳出し時（ａ）と固定時（ｂ）のスライドアンカー構成図、ポジションマーカとセンサの配置例、取手構成、回動範囲、回動ストッパの詳細図に示すように、炊飯器Ｂの炊飯作動時にその表示部４ｇが見えるように、回動可能に構成する。
【００２８】
詳細には、ターンテーブル５の回転外周部には、空転防止用のセレーションや歯型５ｂ等を形成する。ターンテーブル５の後部に電動回転駆動部５ｃを設け、正逆転可能に構成するとともに、洗米槽２の下方で載置台Ｔを進退移動可能な曳き出し式に構成する。
【００２９】
例えば、アウターとインナーのスライド部材からなるスライドレールを載置台Ｔの下部に設けて前後押し引き可能に構成する。
載置台Ｔの前部下側に、押し引き用の取手５ａを外側と内側に分けて設け、載置台Ｔの固定用フック５ｄを内側の取手で解除してスライド可能に構成することで、固定用フック５ｄによる安定保持を確保しつつ、取手５ａを握るとフック５ｄが解除されて前後移動が可能となる。
【００３０】
ターンテーブル５は、米を炊飯器Ｂに投下するときに、洗米機１の手前側に炊飯器Ｂの蓋６ａのヒンジ側を位置付けることで、米を投下後における炊飯器Ｂの蓋閉めが容易となる。
【００３１】
ターンテーブル５には、回転部の１８０°角度位置に検出用マーカ５ｍ，５ｎを設ける。２つの角度位置をセンサによって区別可能にマーカ５ｍ，５ｎの一方は１本の突起、他方を２本の突起とし、載置台Ｔに支持した近接センサによってマーカ５ｍ，５ｎの突起を検出可能に構成し、例えば、センサの１回検知によって炊飯器Ｂが正面向き、２回検知によって背面向き、を検知することができる。
【００３２】
ターンテーブル５の操作は、洗米槽２で洗米した米を炊飯器Ｂに投下した後に、載置台Ｔを前方にスライドさせ、ターンテーブル５の曳き出し位置で炊飯器Ｂの蓋を閉じた上で洗米槽２の直下位置まで押込むと、炊飯器Ｂが正面向き位置までターンテーブル５が回転するように制御することにより、炊飯器Ｂの炊飯操作が可能となる。
【００３３】
また、手動回転式の場合は、ターンテーブル５の回転を規制するクラッチ付きの回転部材を設け、回転操作に伴うクリック感（「カチ、カチ」）で半回転を限度で回りすぎを防止し、または、回転を規制するストッパ５ｓ，５ｓを設けることにより、炊飯器Ｂの電源コードを保護しつつ、所定の角度位置で停止することができる。この場合、回転台５の左右端に回転操作用の取手５ｈを設ける。
【００３４】
炊飯器Ｂに洗米機１から米及び水を入れるときには、図６に示す載置台Ｔに炊飯器Ｂが載置されている状態で、オペレータが取手５ａを把持して載置台Ｔを引き出して炊飯器Ｂを洗米槽２より前側に引き出す。そして、炊飯器Ｂの蓋６ａを開いてターンテーブル５により蓋６ａが前側に位置するように反転し、次いで、載置台Ｔを押して初期位置にすると、図５に示す米を受ける姿勢となる。
【００３５】
洗米槽２から炊飯器Ｂに水及び米が投下され終わると、オペレータは載置台Ｔを前側に引き出し、ターンテーブル５で炊飯器Ｂを反転して蓋６ａを閉じる。その後は載置台Ｔを初期位置に戻してその位置で洗米機１に設ける電源４ｓに炊飯器のコード（図示せず）を接続して炊飯を開始しても良いし、炊飯器を別の場所に移して炊飯をしても良い。
【００３６】
（洗米機の操作部）
洗米機１は、図１２の米投入口の断面図に示すように、米投入口４ａをボウル形状として米の投入を容易とし、洗米槽２の手前側に継ぎ目なしに洗米槽２内に直通して設ける。また、操作盤４ｇは、視認性と操作性の確保のため、米投入口４ａより手前に設ける。
【００３７】
（投下弁）
洗米槽２の下端部の投下弁１１は、図１３のワイヤー式投下弁周りの斜視図に示すように、蓋体４の機器収容室４ｄに配置したソレノイド１１ａからワイヤ１１ｂで連結することにより、蓋体４の回動による洗米槽２の開放が可能となる。
【００３８】
詳細には、ソレノイド１１ａは、蓋体４の高さを抑えるために水平姿勢に配置し、ローラ１１ｃを介してワイヤ１１ｂを上下方向に配索し、その下端のフック１１ｄを投下弁１１のリング１１ｅに着脱可能に連結し、投下弁１１の下部中央に細長形状の落下補助ウェイト１１ｆを突設する。
【００３９】
また、図１４の平行リンク式投下弁周りの斜視図に示すように、洗米槽２の排出部の排水ボックス７に投下弁１１のアクチュエータ１２ａを一体化した排水・投下ユニット１２を構成することで、投下弁１１が洗米槽２から分離可能となることから、蓋体４の回動を確保することができる。
【００４０】
詳細には、投下弁１１を平行リンク１２ｂによって上下動作可能に排水・投下ユニット１２に支持し、この排水・投下ユニット１２の配線をフレームＦの側面内側に配索し、フロアパネル面にコネクタ１３を固定し、カプラ１３ｃにて機器収容室４ｄの電装部と連結することで、洗米槽２の投下弁１１を洗米槽２から完全分離が可能となる。
【００４１】
（技術的ポイント）
上記構成の洗米機の技術的ポイントをまとめると次のとおりである。
第一に、撹拌体３を内設した洗米槽２の上部開口２ａに開閉可能に蓋体４を設け、この蓋体４に米投入口４ａと水供給口４ｂを形成した簡易な構成により、蓋体４を閉じれば、米と水を洗米槽２内に供給して撹拌体３によって洗米が可能となり、また、蓋体４を開けば、上部開口２ａから洗米槽２内部のメンテナンスが可能となる。
【００４２】
第二に、水供給口４ｂに設けた接続具４ｃにより水供給パイプＰ１を水供給口４ｂに自在に着脱できるので、洗米装置の設置の自由度が確保され、また、蓋体４に形成した機器収容室４ｄに収容した給水制御弁４ｅと給水量センサ４ｆによって給水制御が可能となるととともに、蓋体４の開閉操作により、給水制御機器の個別の着脱を要することなく、洗米槽２のメンテナンスが可能となる。
【００４３】
第三に、蓋体４に撹拌体３を支持して一体開閉可能に構成したことから、撹拌体３を含めてメンテナンスが容易となる。
【００４４】
第四に、蓋体４に機器収容室４ｄを設けたことから、機器類をコンパクトにレイアウトでき、かつ、前側配置の操作盤４ｇで操作性を確保することできる。
【符号の説明】
【００４５】
１      洗米装置
２      洗米槽
２ａ    上部開口
２ｂ    下部投下口
３      撹拌体
４      蓋体
４ａ    米投入口
４ｂ    水供給口
４ｃ    接続具
４ｄ    機器収容室
４ｅ    給水制御弁
４ｆ    給水量センサ
４ｇ    操作盤
Ｐ１    水供給パイプ
【図１】
2018043168.tif 000003
【図２】
2018043168.tif 000004
【図３】
2018043168.tif 000005
【図４】
2018043168.tif 000006
【図５】
2018043168.tif 000007
【図６】
2018043168.tif 000008
【図７】
2018043168.tif 000009
【図８】
2018043168.tif 000010
【図９】
2018043168.tif 000011
【図１０】
2018043168.tif 000012
【図１１】
2018043168.tif 000013
【図１２】
2018043168.tif 000014
【図１３】
2018043168.tif 000015
【図１４】
2018043168.tif 000016